(57)【特許請求の範囲】
【請求項１】
設置面上に設置された物品の上面と天井との間に取り付けられる転倒防止装置であって、
伸張方向に付勢力が付与されて伸縮する伸縮部材と、
前記伸縮部材の伸縮方向の端部に連結され、前記物品の上面又は前記天井に当接するベース部材と、
前記ベース部材に出没自在に取り付けられ、前記ベース部材から前記物品の上面又は前記天井に向かって突出して前記伸縮部材を収縮させ、前記物品の上面又は前記天井から前記ベース部材を離間させる離間部材と、
を備えることを特徴とする転倒防止装置。
【請求項２】
前記物品の上面又は前記天井と前記離間部材との間に介在する介在部材を備えることを特徴とする請求項１記載の転倒防止装置。
【請求項３】
前記離間部材は、前記ベース部材に螺合するねじ部材であることを特徴とする請求項１又は２記載の転倒防止装置。
【請求項４】
前記離間部材はパンタグラフジャッキであることを特徴とする請求項１又は２記載の転倒防止装置。
【請求項５】
前記離間部材は、流体を流入させることにより膨張するエアバッグであることを特徴とする請求項１又は２記載の転倒防止装置。
【請求項６】
前記離間部材は、前記ベース部材に回転自在に軸支されたカムであることを特徴とする請求項１又は２記載の転倒防止装置。
【請求項７】
前記離間部材は、前記ベース部材に回動自在に軸支されたてこ部材であることを特徴とする請求項１又は２記載の転倒防止装置。
【請求項８】
請求項１乃至７のいずれか一項に記載の転倒防止装置の取り外し方法であって、
前記ベース部材が前記物品の上面又は前記天井に当接して前記伸縮部材の前記付勢力が前記物品の上面及び前記天井に付与された状態で、前記離間部材を突出させて前記伸縮部材を収縮させ、前記ベース部材を前記物品の上面又は前記天井から離間させる第１工程と、
前記伸縮部材を収縮させて前記ベース部材を前記物品の上面又は前記天井から離間させた前記第１工程の状態を、保持部材により保持する第２工程と、
前記伸縮部材を収縮させた状態を前記保持部材により保持した前記第２工程の状態から、前記離間部材を前記ベース部材に埋没させる第３工程と、
を含むことを特徴とする転倒防止装置の取り外し方法。
【発明の詳細な説明】
【技術分野】
【０００１】
本発明は転倒防止装置、及びその取り外し方法に関する。
【背景技術】
【０００２】
特許文献１は従来の転倒防止装置を開示している。この転倒防止装置は、床面上に設置された家具の上面と天井との間に取り付けられる。転倒防止装置はダンパを備えている。ダンパの両端部には一対のベース部が連結されている。これら一対のベース部は、圧縮ガスのガス圧による付勢力がダンパの伸長方向に働くことにより、一方のベース部は家具の上面に当接し、他方のベース部は天井に当接している。転倒防止装置は、地震等の揺れによって家具が傾くと、ダンパが収縮して減衰力を発生させ、家具の転倒を防止することができる。
【先行技術文献】
【特許文献】
【０００３】
【特許文献１】特開２０１５−６３３０号公報
【発明の概要】
【発明が解決しようとする課題】
【０００４】
しかし、特許文献１の転倒防止装置は、家具の上面と天井との間から取り外す際、ダンパの伸長方向に働く圧縮ガスのガス圧に抗して収縮させなければならない。また、ダンパを収縮させる際には、ダンパの減衰力となる作動油（作動液体）の抗力も生じる。これらの力に抗して、作業者が家具の上方で転倒防止装置を収縮させる作業は困難性を有する。
【０００５】
本発明は、上記従来の実情に鑑みてなされたものであって、物品の上面と天井との間から容易に取り外すことができる転倒防止装置、及びその取り外し方法を提供することを解決すべき課題としている。
【課題を解決するための手段】
【０００６】
本発明の転倒防止装置は、設置面上に設置された物品の上面と天井との間に取り付けられる。転倒防止装置は、伸縮部材、ベース部材、及び離間部材を備えている。伸縮部材は、伸長方向に付勢力が付与されて伸縮する。ベース部材は、伸縮部材の伸縮方向の一方の端部に連結されており、物品の上面又は天井に当接する。離間部材はベース部材に出没自在に取り付けられている。離間部材は、ベース部材から物品の上面又は天井に向かって突出することにより伸縮部材を収縮させ、物品の上面又は天井からベース部材を離間させる。
【０００７】
このような構成により、本発明の転倒防止装置は、取り外す時には、離間部材をベース部材から突出させて伸縮部材を収縮させ、ベース部材を物品の上面又は天井から離間させることができる。そして、伸縮部材を収縮させた状態で保持したまま離間部材をベース部材に埋没させることにより転倒防止装置の全長を短くして、物品の上面又は天井との間に隙間を生じさせることができる。これにより、物品の上面及び天井に作用する付勢力が解除された取り外し可能な状態にすることができる。
【０００８】
したがって、本発明の転倒防止装置は、物品の上面と天井との間から容易に取り外すことができる。
【０００９】
本発明の転倒防止装置は、物品の上面又は天井と、離間部材と、の間に介在する介在部材を備え得る。この場合、離間部材は、物品の上面又は天井に介在部材を介して当接するので、物品の上面又は天井を損傷させることなく離間部材を突出させることができる。
【００１０】
本発明の転倒防止装置において、離間部材は、ベース部材に螺合するねじ部材であり得る。この場合、簡易な構成の転倒防止装置を実現できる。
【００１１】
本発明の転倒防止装置において、離間部材はパンタグラフジャッキであり得る。この場合、リンク機構の作用により略平行な昇降を実現できるので、物品の上面又は天井からベース部材を安定的に離間させることができる。
【００１２】
本発明の転倒防止装置において、離間部材は、気体を流入させることにより膨張するエアバッグであり得る。この場合、エアバッグを膨張させることにより、ベース部材を物品の上面又は天井から好適に離間させることができる。
【００１３】
本発明の転倒防止装置において、離間部材は、ベース部材に回転自在に軸支されたカムであり得る。この場合、カムを回転させることにより、ベース部材を物品の上面又は天井から好適に離間させることができる。
【００１４】
本発明の転倒防止装置において、離間部材は、ベース部材に回動自在に軸支されたてこ部材であり得る。この場合、てこ部材によるてこの作用により、ベース部材を物品の上面又は天井から好適に離間させることができる。
【００１５】
本発明の転倒防止装置の取り外し方法は、ベース部材が物品の上面又は天井に当接して伸縮部材の付勢力が物品の上面及び天井に付与された状態で、離間部材を突出させて伸縮部材を収縮させ、ベース部材を物品の上面又は天井から離間させる第１工程を含む。また、伸縮部材を収縮させてベース部材を物品の上面又は天井から離間させた第１工程の状態を、保持部材により保持する第２工程を含む。そして、伸縮部材を収縮させた状態を保持部材により保持した第２工程の状態から、離間部材をベース部材に埋没させる第３工程を含む。このため、物品の上面又は天井との間に容易に隙間を生じさせることができる。
【００１６】
したがって、本発明の転倒防止装置の取り外し方法は、物品の上面と天井との間から転倒防止装置を容易に取り外すことができる。
【図面の簡単な説明】
【００１７】
【図１】実施形態１の転倒防止装置を家具の上面と天井との間に取り付けた状態を模式的に示す図である。
【図２】実施形態１の転倒防止装置のベース部材と伸縮部材との連結を説明するための部分断面図である。
【図３】実施形態１の転倒防止装置において、離間部材を突出させて伸縮部材を収縮させた状態を模式的に示す側面図である。
【図４】実施形態１の転倒防止装置において、離間部材を突出させて伸縮部材を収縮させ、その状態を保持部材により保持した状態を模式的に示す図である。
【図５】実施形態１の転倒防止装置において、伸縮部材を収縮させた状態を保持部材により保持した状態で、離間部材を埋没させた状態を模式的に示す図である。
【図６】実施形態２の転倒防止装置のベース部材と離間部材を模式的に示す図である。
【図７】実施形態２の転倒防止装置において、離間部材を突出させて伸縮部材を収縮させた状態を模式的に示す図である。
【図８】実施形態３の転倒防止装置のベース部材と離間部材を模式的に示す図である。
【図９】実施形態３の転倒防止装置において、離間部材を突出させて伸縮部材を収縮させた状態を模式的に示す図である。
【図１０】実施形態４の転倒防止装置のベース部材と離間部材を模式的に示す図である。
【図１１】実施形態４の転倒防止装置において、離間部材を突出させて伸縮部材を収縮させた状態を模式的に示す図である。
【図１２】実施形態５の転倒防止装置のベース部材と離間部材を模式的に示す図である。
【図１３】実施形態５の転倒防止装置において、離間部材を突出させて伸縮部材を収縮させた状態を模式的に示す図である。
【図１４】他の実施形態に係る転倒防止装置を説明するための図である。
【発明を実施するための形態】
【００１８】
本発明の転倒防止装置、及びその取り付け方法を具体化した実施形態１〜５について、図面を参照しつつ説明する。
【００１９】
＜実施形態１＞
実施形態１の転倒防止装置１は、図１に示すように、家具Ｆ（本発明に係る物品として例示する。）の上面と天井Ｃとの間に少なくとも１個以上が取り付けられる。転倒防止装置１は、地震等の揺れが生じて家具Ｆが傾いた際に、減衰力により家具Ｆの揺れを抑制して家具Ｆの転倒を防止する。家具Ｆは、設置面となる床面（図示せず）から鉛直方向に伸びた壁面Ｗに背面を対向させて床面上に設置されている。また、この家具Ｆは、直方体形状をなしており、正面（図１における右側面）に図示しない扉や引き出し等を有し、内部に衣類や装身具等を収納することができる。家具Ｆは、水平断面形状が左右方向（図１において奥行き方向）に長い長方形状である。この家具Ｆは、転倒防止装置が取り付けられていない場合、地震等の揺れによって、前方向（図１において右方向）に傾いて転倒するおそれがある。
【００２０】
転倒防止装置１は、図１に示すように、ダンパ１０（本発明に係る伸縮部材として例示する。）、第１ベース部材２１（本発明に係るベース部材として例示する。）、及びねじ部材３０（本発明に係る離間部材として例示する。）を備えている。また、転倒防止装置１は、第２ベース部材２２、及び滑り止め部材４０（本発明に係る介在部材として例示する。）を備えている。ダンパ１０は油圧ダンパである。第１ベース部材２１は、ダンパ１０の下端部に連結され、家具Ｆの上面に当接する。第２ベース部材２２は、ダンパ１０の上端部に連結され、天井Ｃに当接する。ねじ部材３０は六角ボルトである。滑り止め部材４０は、ねじ部材３０と家具Ｆの上面との間に介在している。
【００２１】
ダンパ１０は、シリンダ１１、及びロッド１３を有している。また、ダンパ１０は、２個のジョイント部１８を有している。シリンダ１１は有底筒状に形成されている。シリンダ１１には作動油及び圧縮ガスが封入されている。ロッド１３は、シリンダ１１の開口部側の一端から突出し、中心軸方向に往復移動自在にシリンダ１１に挿入されている。ロッド１３の基端側は、シリンダ１１内に摺動自在に収納された図示しないピストンに接続されている。２個のジョイント部１８は、ダンパ１０のシリンダ１１側の端部（シリンダ１１の底部）と、ロッド１３側の端部（ロッド１３の先端部）に各々設けられている。各ジョイント部１８には、第１ベース部材２１と第２ベース部材２２に接続される。各ジョイント部１８は、図２に示すように、平板状の金具を折り曲げて形成されている。各ジョイント部１８はダンパ１０の軸線に直交する方向に貫通した貫通孔１８Ａが形成されている。
【００２２】
ダンパ１０は収縮動作時に発生する減衰力が伸長動作時に発生する減衰力よりも大きい圧効きダンパである。ダンパ１０の収縮動作とは、シリンダ１１からロッド１３の突出長さ（ダンパ１０の全長）が短くなっていく動作を意味する。また、ダンパ１０の伸長動作とは、シリンダ１１からロッド１３の突出長さ（ダンパ１０の全長）が長くなっていく動作を意味する。また、ダンパ１０は、シリンダ１１に封入した圧縮ガスのガス圧により、ダンパ１０が伸張する方向に付勢力を作用させている。そして、この圧縮ガスの作用により、ダンパ１０は、家具Ｆ側の端部であるシリンダ１１の下端部と天井Ｃ側の端部であるロッド１３の上端部とが互いに遠ざかる方向に付勢力を付与する。すなわち、ダンパ１０は、伸長方向に付勢力が付与されて伸縮する。
【００２３】
ダンパ１０の減衰力が発生するメカニズムは、周知の構造であるため、図示を省略して説明する。シリンダ１１は、ピストンによって、ロッド１３の基端部が収納されているロッド側圧力室と、反ロッド側圧力室とにその内部が仕切られている。ピストンは両圧力室間を連通させる絞り弁であるオリフィスが形成されている。オリフィスは、ダンパ１０の伸縮動作に伴うロッド側圧力室と反ロッド側圧力室との間の作動油の流れに抵抗を付与して減衰力を発生する減衰力発生部として機能する。また、ピストンは逆止弁を介して両圧力室間を連通する連通路が形成されている。逆止弁は、ロッド側圧力室から反ロッド側圧力室への作動油の流れを許容し、その逆の流れを阻止する。このため、ダンパ１０は、伸長動作時、ロッド側圧力室から反ロッド側圧力室への作動油の流路経路が、オリフィスと連通路の経路になる。一方、ダンパ１０は、収縮動作時、反ロッド側圧力室からロッド側圧力室への作動油の流路経路がオリフィスのみとなる。このため、ダンパ１０は収縮動作時に発生する減衰力が伸長動作時に発生する減衰力よりも大きくなる。
【００２４】
第１ベース部材２１は、ダンパ１０に対して回動自在に設けられている。第１ベース部材２１は、ベース部材本体２３、ピン２４、止め輪２５、及びブッシュ２６を有している。図１及び図２に示すように、ベース部材本体２３はその内部が空洞とされている。ベース部材本体２３は、家具Ｆの上面に当接して載置された状態の第１ベース部材２１において、下方に開口している。また、ベース部材本体２３は挿通孔２３Ａを有している。ピン２４は、この挿通孔２３Ａに挿通される。回動軸部材であるピン２４は、その軸部２４Ａがベース部材本体２３の挿通孔２３Ａの一方から挿入されて貫通し、挿通孔２３Ａの他方において軸部２４Ａの先端に止め輪２５を嵌め込まれている。このピン２４の中心軸が第１ベース部材２１におけるダンパ１０の回動軸になる。
【００２５】
ブッシュ２６は、図２に示すように、略円筒状である。ブッシュ２６は弾性体である。ブッシュ２６の長さは、ベース部材本体２３に取り付けられたときに、その両端面とベース部材本体２３との間に僅かに隙間が生じる長さとされている。ブッシュ２６は中央部の外周面を一周した凹部２６Ａが形成されている。この凹部２６Ａの外径がダンパ１０のジョイント部１８に形成された貫通孔１８Ａの内径に略等しい。ブッシュ２６は凹部２６Ａの両端から立ち上がった部分の外径がダンパ１０のジョイント部１８に形成された貫通孔１８Ａの内径よりも大きい。また、ブッシュ２６は両端部の外周面２６Ｂが外方向に縮径している。このため、ブッシュ２６はダンパ１０のジョイント部１８に形成された貫通孔１８Ａに弾性変形させながら挿入される。そして、ブッシュ２６は、貫通孔１８Ａに凹部２６Ａが嵌まり込んで、ダンパ１０のジョイント部１８に取り付けられる。
【００２６】
ブッシュ２６は中央部の内径がピン２４の軸部２４Ａの外径よりも僅かに大きい。また、ブッシュ２６は両端部の内周面２６Ｃが外方向に拡径している。このため、このブッシュ２６はピン２４の軸部２４Ａ周りに回動自在である。また、このブッシュ２６は、拡径した両端部の内周面２６Ｃがピン２４の軸部２４Ａの外周面に当接する範囲で、ピン２４の軸部２４Ａに対して傾くことができる。つまり、ブッシュ２６をジョイント部１８に取り付けたダンパ１０は、ピン２４の軸部２４Ａ周りに回動自在であり、回動方向に交差する方向に揺動自在である。さらに、ブッシュ２６が弾性変形することによって、ダンパ１０は回動方向に交差する方向に、より大きく揺動することができる。
【００２７】
家具Ｆの上面に当接して載置された状態で第１ベース部材２１を上方から見た平面視において、ベース部材本体２３は長方形状の外形である（以下、この平面視におけるベース部材本体２３の外形において長辺が延びている方向を「長辺方向」と言い、短辺が延びている方向を「短辺方向」と言う。）。また、家具Ｆの上面に当接して載置された状態で第１ベース部材２１を短辺方向に見た側面視において、ベース部材本体２３は、下端縁が家具Ｆの上面に平行に直線状に伸びており、上端縁が下端縁の両側から上方に膨らんだ円弧状の外形である（図１参照）。また、家具Ｆの上面に当接して載置された状態で第１ベース部材２１を長辺方向に見た側面視において、ベース部材本体２３は下端縁よりも上端縁が短い略台形状の外形である（図２参照）。
【００２８】
図１に示すように、ベース部材本体２３には、上下に貫通する貫通孔２３Ｂが形成されている。貫通孔２３Ｂは、平面視において長方形状をなすベース部材本体２３の長辺方向の一方の端部寄りの位置に形成されている。貫通孔２３Ｂの内面には雌ねじが形成されている。ねじ部材３０は、この貫通孔２３Ｂの雌ねじに螺合することにより、第１ベース部材２１に取り付けられている。ねじ部材３０は、貫通孔２３Ｂに上方から挿通されるとともに、その先端部を第１ベース部材２１の下面から下方に出没自在に取り付けられている。
【００２９】
第２ベース部材２２は、離間部材であるねじ部材３０が取り付けられていない点において、第１ベース部材２１の構成と異なる。しかし、他の構成については第１ベース部材２１と略同様である。第２ベース部材２２とダンパ１０は、上述の第１ベース部材２１とダンパ１０との連結形態と略同様の形態で連結される。すなわち、第２ベース部材２２は、第１ベース部材２１と略同様のベース部材本体、ブッシュ、ピン、及び止め輪を有し、ロッド１３側に設けられたジョイント部１８に略同様に連結され、略同様に回動及び揺動する。
【００３０】
滑り止め部材４０は、平面視において、ベース部材本体２３の平面視における外形よりも僅かに大きい相似形（長方形状）の外形である。滑り止め部材４０は略平板状をなすゴム製の部材である。また、滑り止め部材４０は、家具Ｆの上面に当接して載置された状態の第１ベース部材２１において、ベース部材本体２３の下面と家具Ｆの上面との間に配されている。すなわち、ベース部材本体２３はこの滑り止め部材４０上に載置されている。さらに換言すると、第１ベース部材２１は、この滑り止め部材４０を介して家具Ｆの上面に当接する。滑り止め部材４０は、家具Ｆの上面に当接する面が平坦であり、その反対側を向いた面（ベース部材本体２３に対向する面）は、ベース部材本体２３の外周壁に合わせた嵌合溝（図示せず）が形成されている。滑り止め部材４０は、その弾性力によってベース部材本体２３の外周壁に嵌合溝が嵌合し、ベース部材本体２３に着脱自在に取り付けられる。
【００３１】
このような構成を有する転倒防止装置１は、次に示すようにして家具Ｆの上面と天井Ｃとの間から取り外される。取り外し前の状態の転倒防止装置１は、図１に示すように、第１ベース部材２１及び第２ベース部材２２が家具Ｆの上面及び天井Ｃに当接しており、圧縮ガスのガス圧によるダンパ１０の付勢力が家具Ｆの上面及び天井Ｃに作用している。また、第１ベース部材２１は、ねじ部材３０が家具Ｆの正面側に配される向きで設置されている。
【００３２】
最初に、ねじ部材３０を突出させてダンパ１０を収縮させ、第１ベース部材２１を家具Ｆの上面から離間させる（第１工程）。具体的には、図３に示すように、ねじ部材３０の先端部がベース部材本体２３の下端よりも下方へ突出するまでねじ部材３０を締め込む。これにより、第１ベース部材２１が滑り止め部材４０から離間する。すなわち、第１ベース部材２１は、家具Ｆの上面から離間する。また、このとき、ねじ部材３０は、その先端部が滑り止め部材４０に当接した状態で締め込まれる。
【００３３】
そして、ダンパ１０を収縮させて第１ベース部材２１を家具Ｆの上面から離間させた状態を、保持部材により状態を保持する（第２工程）。具体的には、例えば、図４に示すように、保持部材としての固定索５０などを用いて、ダンパ１０が収縮した状態を保持する。固定索５０は、化学繊維製の一本の紐を採用している。図４に示す固定索５０は、両端が第１ベース部材２１及び第２ベース部材２２の回動軸部材であるピン２４に係止されており、ダンパ１０が収縮した状態を保持している。なお、保持部材の形態や係止位置はこの固定索５０とピン２４の形態に限らず、伸縮部材を収縮させた状態で保持する形態であればどのような形態であってもよい。
【００３４】
最後に、図５に示すように、ダンパ１０を収縮させた状態を固定索５０により保持した状態から、ねじ部材３０を第１ベース部材２１に埋没させる（第３工程）。すなわち、保持部材である固定索５０によりダンパ１０を収縮させた状態を保持した状態で、ねじ部材３０を緩めて第１ベース部材２１内に再び埋没させる。これにより、転倒防止装置１の全長が短くなり、天井Ｃと家具Ｆの上面に作用するダンパ１０の付勢力が解除された状態となり、転倒防止装置１を取り外すことができる。
【００３５】
以上説明したように、転倒防止装置１は、設置面上に設置された家具Ｆの上面と天井Ｃとの間に取り付けられる。転倒防止装置１は、伸縮部材としてのダンパ１０、ベース部材としての第１ベース部材２１、及び離間部材としてのねじ部材３０を備えている。ダンパ１０は、伸長方向に付勢力が付与されて伸縮する。第１ベース部材２１は、ダンパ１０の伸縮方向の一方の端部に連結されており、家具Ｆの上面に当接する。ねじ部材３０は第１ベース部材２１に出没自在に取り付けられている。ねじ部材３０は、第１ベース部材２１から家具Ｆの上面に向かって突出することによりダンパ１０を収縮させ、家具Ｆの上面から第１ベース部材２１を離間させる。
【００３６】
このような構成により、転倒防止装置１は、取り外す時には、ねじ部材３０を第１ベース部材２１から突出させてダンパ１０を収縮させ、第１ベース部材２１を家具Ｆの上面から離間させることができる。そして、ダンパ１０を収縮させた状態で保持したままねじ部材３０を第１ベース部材２１に埋没させることにより転倒防止装置１の全長を短くして、天井Ｃとの間に隙間を生じさせることができる。これにより、家具Ｆ品の上面及び天井Ｃに作用する付勢力が解除された取り外し可能な状態にすることができる。
【００３７】
したがって、転倒防止装置１は、家具Ｆの上面と天井Ｃとの間から容易に取り外すことができる。
【００３８】
また、転倒防止装置１は、家具Ｆの上面とねじ部材３０との間に介在する介在部材としての滑り止め部材４０を備えている。このため、ねじ部材３０は、家具Ｆの上面に滑り止め部材４０を介して当接する。これにより、家具Ｆの上面を損傷させることなくねじ部材３０を突出させることができる。また、第１ベース部材２１は、この滑り止め部材４０を介して家具Ｆの上面に当接している。これにより、ダンパ１０の付勢力を家具Ｆの上面に好適に伝達することができる。
【００３９】
また、転倒防止装置１は、離間部材として、第１ベース部材２１に螺合するねじ部材３０を採用している。これにより、簡易な構成の転倒防止装置を実現できる。また、ねじ部材３０は、家具Ｆの上面に当接する第１ベース部材２１に取り付けられている。このため、天井Ｃに当接する第２ベース部材２２に取り付けられる場合よりも低い位置に設けられていることにより、容易に作業を行うことができる。
【００４０】
また、転倒防止装置１は、第１ベース部材２１を、ねじ部材３０が家具Ｆの正面側に配される向きで設置したので、ねじ部材３０の操作を容易に行うことができる。
【００４１】
実施形態１の転倒防止装置１の取り外し方法は、第１ベース部材２１が家具Ｆの上面に当接してダンパ１０の付勢力が家具Ｆの上面及び天井Ｃに付与された状態で、ねじ部材３０を突出させてダンパ１０を収縮させ、第１ベース部材２１を家具Ｆの上面から離間させる。また、この状態を、保持部材としての固定索５０により保持する。そして、固定索５０により保持した状態から、ねじ部材３０を第１ベース部材２１に埋没させる。これにより、家具Ｆの上面又は天井Ｃとの間に容易に隙間を生じさせることができる。
【００４２】
したがって、転倒防止装置１の取り外し方法は、家具Ｆの上面と天井Ｃとの間から転倒防止装置１を容易に取り外すことができる。
【００４３】
＜実施形態２＞
次に、図６及び図７などを参照し、実施形態２について説明する。
図６及び図７に示す実施形態２の転倒防止装置２０１は、離間部材としてパンタグラフジャッキ２３０を備えている点において、実施形態１の転倒防止装置１とは異なる。その他の部分は、実施形態１と略同一の構成をなし、同一の機能を有する。よって、他の部分については実施形態１と同一の符号を付し、詳細な説明は省略する。また、以下の説明でも、物品の例として、設置面上に設置された家具Ｆを例示するが、家具以外の物品に適用してもよい。
【００４４】
図６及び図７に示すように、転倒防止装置２０１は、パンタグラフジャッキ２３０を備えている。パンタグラフジャッキ２３０は、内部が空洞とされた第１ベース部材２２１のベース部材本体２２３内に収納されている。パンタグラフジャッキ２３０は、ねじ軸２３１を回転させることにより、第１ベース部材２２１を略平行に昇降させることができる。
このような構成の転倒防止装置２０１は、実施形態１の転倒防止装置１、及びその取り外し方法と同様に、家具Ｆの上面と天井との間から容易に取り外すことができる。また、離間部材として、ねじ部材３０に替えてパンタグラフジャッキ２３０を採用したことにより、第１ベース部材２２１を家具Ｆの上面から安定して離間させることができる。
【００４５】
＜実施形態３＞
次に、図８及び図９などを参照し、実施形態３について説明する。
図８及び図９に示す実施形態３の転倒防止装置３０１は、離間部材としてエアバッグ３３０を備えている点において、実施形態１の転倒防止装置１とは異なる。その他の部分は、実施形態１と略同一の構成をなし、同一の機能を有する。よって、他の部分については実施形態１と同一の符号を付し、詳細な説明は省略する。
【００４６】
図８及び図９に示すように、転倒防止装置３０１は、エアバッグ３３０を備えている。エアバッグ３３０は、内部が空洞とされた第１ベース部材３２１のベース部材本体３２３内に収納されている。エアバッグ３３０は、流入口３３１からガスを流入させることにより膨張し、ダンパ１０を収縮させて第１ベース部材３２１を家具Ｆから離間させることができる。エアバッグ３３０を収縮させる際には、流入口３３１を用いて内部のガスを排出する。なお、エアバッグ３３０を膨張させるためのガスは、コンプレッサーによる圧縮ガスや、インフレータによるガスを用いてもよい。
このような構成の転倒防止装置３０１もまた、実施形態１の転倒防止装置１、及びその取り外し方法と同様に、家具Ｆの上面と天井との間から容易に取り外すことができる。
【００４７】
＜実施形態４＞
次に、図１０及び図１１などを参照し、実施形態４について説明する。
図１０及び図１１に示す実施形態４の転倒防止装置４０１は、離間部材としてカム４３０を備えている点において、実施形態１の転倒防止装置１とは異なる。その他の部分は、実施形態１と略同一の構成をなし、同一の機能を有する。よって、他の部分については実施形態１と同一の符号を付し、詳細な説明は省略する。
【００４８】
図１０及び図１１に示すように、転倒防止装置４０１は、カム４３０を備えている。カム４３０は、内部が空洞とされた第１ベース部材４２１のベース部材本体４２３内に収納されている。カム４３０は、回転軸４３１によりベース部材本体４２３に回転自在に設けられている。回転軸４３１には、その軸線上に図示しないハンドルやレバー等の回転操作部が設けられている。カム４３０は、短径部の外周面が滑り止め部材４０に接触しているときには、第１ベース部材４２１は滑り止め部材４０に当接している（図１０参照）。この状態から回転操作部を操作し、カム４３０を回転軸４３１の軸芯回りに回転させて、長径部の外周面が滑り止め部材４０に接触した状態にすると、ダンパ１０が収縮し、第１ベース部材４２１を家具Ｆの上面から離間させることができる（図１１参照）。
このような構成の転倒防止装置４０１もまた、実施形態１の転倒防止装置１、及びその取り外し方法と同様に、家具Ｆの上面と天井との間から容易に取り外すことができる。
【００４９】
＜実施形態５＞
次に、図１２及び図１３などを参照し、実施形態５について説明する。
図１２及び図１３に示す実施形態５の転倒防止装置５０１は、離間部材としててこ部材５３０を備えている点において、実施形態１の転倒防止装置１とは異なる。その他の部分は、実施形態１と略同一の構成をなし、同一の機能を有する。よって、他の部分については実施形態１と同一の符号を付し、詳細な説明は省略する。
【００５０】
図１２及び図１３に示すように、転倒防止装置５０１は、てこ部材５３０を備えている。てこ部材５３０は回動軸５３１に回動自在に設けられている。てこ部材５３０は、回動軸５３１の周方向に伸びる側面視長尺棒状に形成されている。てこ部材５３０は、回動軸５３１を中心として、一端に設けられて第１ベース部材５２１の外側に突出する操作部５３２と、他端に設けられて滑り止め部材４０に当接する当接部５３３と、を有している。てこ部材５３０は、てこの力点となる操作部５３２を操作して回動軸５３１回りに回動させると、当接部５３３が滑り止め部材４０に当接する。この状態から操作部５３２をさらに操作して回動させると、当接部５３３をてこの支点、回動軸５３１をてこの作用点とするてこの作用により、ダンパ１０を収縮させ、家具Ｆの上面から第１ベース部材５２１を離間させることができる。
このような構成の転倒防止装置５０１もまた、実施形態１の転倒防止装置１、及びその取り外し方法と同様に、家具Ｆの上面と天井との間から容易に取り外すことができる。
【００５１】
本発明は上記記述及び図面によって説明した実施形態１〜５に限定されるものではなく、例えば次のような実施形態も本発明の技術的範囲に含まれる。
（１）実施形態１〜５では、転倒防止装置を家具に対して取り付けたが、これに限定されず、例えば、複数の寝台を上下方向に連結したベッド、大型テレビ、冷蔵庫、書棚、ショーケース、サーバーラック等、地震等の揺れによって転倒するおそれのある他の物品に対して取り付けてもよい。
（２）実施形態１〜５では、転倒防止装置を壁面に背面を対向させて床面上に載置された家具に対して取り付けたが、壁面に隣接させずに床面上に載置された家具等に対して取り付けてもよい。このとき、物品が、前方のみならず後方等の他の方向にも転倒するおそれがある場合には、取り付け位置や取り付け個数、ダンパの傾斜角度、傾斜方向などに注意して、物品が転倒する可能性のある方向に合わせて適切に取り付ける必要がある。
（３）実施形態１〜５では、伸縮部材として、付勢力と減衰力が作用するダンパを例示したが、本発明において、伸縮部材が減衰力を発揮することは必須ではない。伸縮部材は、伸縮方向に付勢力が付与されて伸縮する構成であればよい。
（４）実施形態１〜５では、伸縮部材は、圧縮ガスのガス圧により付勢力が付与される形態を例示したが、これに限定されず、例えば、圧縮コイルばね等の他の手段又はそれらの組み合わせ等により付勢力が付与される形態であってもよい。
（５）実施形態１〜５では、離間部材が物品の上面に当接するベース部材に取り付けられている形態を例示したが、これに限定されず、離間部材が天井に当接するベース部材に取り付けられている形態であってもよい。
（６）実施形態１では、ねじ部材３０が取り付けられる貫通孔２３Ｂがベース部材本体２３の長辺方向の一方の端部に形成されている例を示したが、これに限定されず、例えば、図１４に示すように、貫通孔２３Ｂが、平面視において長方形状をなすベース部材本体２３の両方の端部に形成されていてもよい。この場合、夫々の貫通孔２３Ｂにねじ部材３０を取り付けてもよい。２つのねじ部材が取り付けられている場合、１つのねじ部材の場合と比較して、物品の上面又は天井からベース部材をより安定的に離間させることができる。
（７）実施形態１〜５では、介在部材として、物品の上面又は天井と離間部材との間に介在する滑り止め部材４０を備える例を示したが、本発明においては、介在部材は必須の構成ではなく、介在部材を備えない形態であってもよい。また、介在部材を備える場合には、実施形態１〜５にて例示した板状のゴムである形態等に限定されない。介在部材は、その形状、大きさ、材質等は適宜選択できる。
【符号の説明】
【００５２】
Ｃ…天井、Ｆ…家具（物品）、Ｗ…壁面、１，２０１，３０１，４０１，５０１…転倒防止装置、１０…ダンパ、１１…シリンダ、１３…ロッド、１８…ジョイント部、１８Ａ…貫通孔、２１，２２１，３２１，４２１，５２１…第１ベース部材（ベース部材）、２２…第２ベース部材、２３，２２３，３２３，４２３，５２３…ベース部材本体、２３Ａ…挿通孔、２３Ｂ…貫通孔、２４…ピン、２４Ａ…軸部、２５…止め輪、２６…ブッシュ、２６Ａ…凹部、２６Ｂ…外周面、２６Ｃ…内周面、３０…ねじ部材（離間部材）、２３０…パンタグラフジャッキ（離間部材）、２３１…ねじ軸、３３０…エアバッグ（離間部材）、３３１…流入口、４３０…カム（離間部材）、４３１…回転軸、５３０…てこ部材（離間部材）、５３１…回動軸、５３２…操作部、５３３…当接部、４０…滑り止め部材（介在部材）、５０…固定索（保持部材）
【図１】
0006356180.tif 000002
【図２】
0006356180.tif 000003
【図３】
0006356180.tif 000004
【図４】
0006356180.tif 000005
【図５】
0006356180.tif 000006
【図６】
0006356180.tif 000007
【図７】
0006356180.tif 000008
【図８】
0006356180.tif 000009
【図９】
0006356180.tif 000010
【図１０】
0006356180.tif 000011
【図１１】
0006356180.tif 000012
【図１２】
0006356180.tif 000013
【図１３】
0006356180.tif 000014
【図１４】
0006356180.tif 000015